(57)【特許請求の範囲】
【請求項１】
接床基台と、上部にネジ部が形成され接床基台に回動自在に立設された支持支柱と、支持支柱の上部に螺合されたレベル調整ナットを介して高さ調整自在に装着された支持板とを有するユニット支持脚において、
支持支柱は軸方向に中空部を有し、支持支柱の下端部には側方に拡張された鍔部が形成されており、
接床基台は鍔部を保持するための押さえ部を有しており、接床基台の中央部には支持支柱の中空部に挿入される突起部が備えられており、接床基台には該突起部の内側で上下に貫通する中央貫通孔と、下面に設けられ前記中央貫通孔と連通する主接着溝と、上下に貫通し主接着溝と連通する主アンカー孔を有していることを特徴とするユニット支持脚。
【請求項２】
接床基台は押さえ部相互間の隙間又は押さえ部の内側に上下に貫通する流入用貫通孔と、下面に設けられ前記流入用貫通孔と連通する副接着溝と、上下に貫通し副接着溝と連通する副アンカー孔を有していることを特徴とする請求項１記載のユニット支持脚。
【請求項３】
外周側ほど幅が広く深さが浅い接着溝を有することを特徴とする請求項１又は請求項２記載のユニット支持脚。
【請求項４】
基礎床上に請求項１，請求項２，又は請求項３のユニット支持脚を配置し、ユニット支持脚の支持板に床パネルを載置した後、支持支柱の上部から接着剤を注入して支持支柱と接床基台、及び接床基台と基礎床とを接着することを特徴とする二重床の施工方法。
【請求項５】
基礎床上に請求項１，請求項２，又は請求項３のユニット支持脚を配置し、ユニット支持脚の支持板に床パネルを載置した後、支持支柱の上部から接着剤を注入すると共に接床基台の主アンカー孔に接着剤を注入することにより支持支柱と接床基台、及び接床基台と基礎床とを接着することを特徴とする二重床の施工方法。
【発明の詳細な説明】
【０００１】
【発明の属する技術分野】
本発明は、建築物の二重床を構築する際に用いられるユニット支持脚と、それを用いた二重床の施工方法に関するものであり、特にユニット支持脚の基礎床への強固な固定に関するものである。
【０００２】
【従来の技術】
従来、このような二重床を支持する装置としては、例えば特開平3-17348号や実開平4-116537号に、棒状脚部と該棒状脚部の上端部に上下調整可能に装着された受け板とからなるユニット支持脚により定尺の長方形及び／又は正方形の床パネルを支持する装置が開示されている。
【０００３】
従来知られているユニット支持脚の一例は図１３に示すとおりであり、ゴム，合成樹脂等の比較的硬質の弾性材料からなる接床基台(102)と、該接床基台(102)に回動自在に立設された支持ボルト(104)と、外周略中央部に側方に突設された環状の支持部(109)を有するレベル調整用ナット(108)と、中央部に上記レベル調整用ナット(108)の上部が嵌合される挿入孔(111)を有する正方形又は長方形の支持板(110)とから構成されている。
【０００４】
支持ボルト(104)は、下端から上方に所定距離離間した位置外周面に側方に突出する環状の鍔部(105)が一体に設けられ、かつ鍔部(105)より上部にはネジ部が形成され、また鍔部(105)より下方の基端部(106)は円形断面の丸棒部に形成されている。また支持ボルト(104)の頂端面には回転用工具先端を嵌め込むための溝部(107)が形成されている。そして、支持ボルト(104)の基端丸棒部(106)を上記接床基台(102)の中央孔(103)に嵌挿することにより、支持ボルト(104)は鍔部(105)を支持部として接床基台(102)に回動自在に立設された状態となる。
【０００５】
一方、支持板(110)の挿入孔(111)上部は面取りされて拡開されている。上記レベル調整用ナット(108)は該支持板(110)の挿入孔(111)に嵌合され、次いでその上部を拡開し、支持板挿入孔(111)の面取り部(112)に部分的に埋没させることによって、支持板(110)に強固に取り付けられる。それと共に、レベル調整用ナット(108)の上部には接着剤溜り(113)が形成される。尚、接着剤が流れやすいようにレベル調整用ナット(108)の内周ネジ部又は支持ボルト(104)の外周ネジ部には長手方向に1本又は数本の溝が形成されている。
【０００６】
このようにして支持板(110)の挿入孔(111)に嵌合されたレベル調整用ナット(108)に支持ボルト(104)のネジ部上端部をねじ込むことによって、図１３に示すようにユニット支持脚(101)が組み立てられる。尚、支持板(110)の上面には両面粘着シート(114)が貼着されるか、又は接着剤層が形成されている。
【０００７】
このような構造のユニット支持脚(101)は、支持ボルト(104)の頂端面に設けられた溝部(107)にドライバー等の回転用工具の先端を嵌め込んで支持ボルト(104)を回転させると、レベル調整用ナット(108)が支持ボルト(104)に対して上下動し、支持板(110)や、支持板(110)に支持された床パネルの床面レベルを調整することができる。
【０００８】
以上のようにして組み立てられたユニット支持脚(101)を用いて二重床を構築する場合の施工例は、例えば図１４示すように、まず部屋壁又は間仕切り(121)の所定の高さに沿って際根太(又は根太ユニット)(112)を設け、そのうえに床パネル(123)の一辺を支持する。際根太(112)に接しない床パネル(123)の他の縁部は、所定ピッチで基礎床（コンクリートスラブ）(120)上に配置したユニット支持脚(101)に片持たせの状態で載せて取り付ける。ユニット支持脚(101)と床パネル(123)の取付は、支持板(110)上面に貼着した両面粘着シート(114)等を介して行い、床パネル敷設時に床パネル(123)を両面粘着シート(114)に圧着して仮固定しておく。支持板(110)の挿入孔(111)は床パネル(123)の縁部から露出した状態とし、この挿入孔(111)を通してドライバー等により支持ボルト(104)を回し、床パネル(123)の床面レベルを調整する。
【０００９】
隣り合う床パネル(123)も同様に、ユニット支持脚(101)上に取り付けることにより所定面積施工する。床面レベルの調整後、床パネル(123)から支持板(110)に対して釘打ちし、床パネル(123)をユニット支持脚(101)に固定する。また、接着剤溜まり(113)から接着剤を注入し、レベル調整用ナット(108)と支持ボルト(104)とを接着，固定する。その後、必要に応じて床パネル(123)の上に捨張り合板(124)を敷設するか、あるいは隣接する床パネル(123)間の間隙を覆うように比較的剛性のある粘着テープを貼着した後、クッションフロアー，ＣＦシート，絨毯，畳，木質フロアー材等の仕上げ材を敷設し、作業を完了する。
【００１０】
【発明が解決しようとする課題】
ユニット支持脚(101)の基礎床(120)への固定は、ユニット支持脚(101)の接床基台(102)の下面に接着剤を塗布して基礎床(120)の所定の箇所に固着していた。そのため、二重床の施工性が悪く、施工時間が長くなると共に施工コストも増大する。
【００１１】
また、一旦基礎床に接着してしまうと、床パネル敷設時等にユニット支持脚の位置を微調整しようとしてもユニット支持脚を移動させることができない。更には、接床基台(102)が高く不安定であると共に接着面積が小さいので基礎床との接着強度が弱いという問題点がある。
【００１２】
そこで、基礎床への取付位置の調整が容易で、しかも基礎床に強固に固定できるユニット支持脚と、それを用いた二重床の施工方法が求められている。
【００１３】
【課題を解決するための手段】
本発明の請求項１のユニット支持脚は、接床基台(1)と、上部にネジ部を有し接床基台(1)に回動自在に立設された支持支柱(20)と、支持支柱(20)の上部に螺合されたレベル調整ナット(41)を介して高さ調整自在に装着された支持板(42)とを有するユニット支持脚において、支持支柱(20)は軸方向の中空部(22)を有し、支持支柱(20)の下端部には側方に拡張された鍔部(21)が形成されており、接床基台(1)は鍔部(21)を保持するための押さえ部(2)を有しており、接床基台(1)の中央部には支持支柱(20)の中空部(22)に挿入される突起部(3)が備えられており、接床基台(1)は該突起部(3)の内側で上下に貫通する中央貫通孔(4)と、下面に設けられ前記中央貫通孔(4)と連通する主接着溝(6)と、上下に貫通し主接着溝(6)と連通する主アンカー孔(7)を有していることを特徴とする。
【００１４】
支持支柱(20)の中空部(22)に接着剤(A)を流し込むと、中空部(22)を通って下方に移動した接着剤(A)により支持支柱(20)の下端部と接床基台(1)とが接着される。また、接着剤(A)は中央貫通孔(4)を通って主接着溝(6)に至り、接床基台(1)と基礎床とを接着する。更に、主アンカー孔(7)に入り込んだ接着剤(A)は接床基台(1)が基礎床から離れて浮き上がるのを防止するアンカー効果を発揮する。
【００１５】
請求項２のユニット支持脚は、請求項１記載のユニット支持脚において、接床基台(1)は押さえ部(2)相互間の隙間又は押さえ部(2)の内側に上下に貫通する流入用貫通孔(9)と、下面に設けられ前記流入用貫通孔(9)と連通する副接着溝(8)と、上下に貫通し副接着溝(8)と連通する副アンカー孔(10)を有していることを特徴とする。
【００１６】
これによれば、請求項１の場合に加えて、接床基台(1)と基礎床との接着面積を副接着溝(8)の分だけ大きくすることができ、副アンカー孔(10)によるアンカー効果も得られるため、接床基台(1)と基礎床との接着がより強固，確実なものとなる。
【００１７】
請求項３のユニット支持脚は、請求項１又は請求項２記載のユニット支持脚において、外周側ほど幅が広く深さが浅い接着溝(56)を有することを特徴とする。
【００１８】
これによれば、接床基台(1)と基礎床との総接着面積が大きくなり、特に接着強度に寄与する外周側ほど接着面積が大きくなるので、更に強固な接着を行うことができる。この接着溝(56)は接床基台の外周側に行くほど深さが浅くなっているので、外周部の強度が大きく低下することはなく、十分な強度を維持することができる。
【００１９】
また、請求項４の二重床の施工方法は、基礎床上に請求項１，請求項２，又は請求項３のユニット支持脚を配置し、ユニット支持脚の支持板(42)に床パネルを載置した後、支持支柱(20)の上部から接着剤(A)を注入して支持支柱(20)と接床基台(1)、及び接床基台(1)と基礎床とを接着することを特徴とする。
【００２０】
これによれば、従来のようにユニット支持脚を配置するに先立って接床基台(1)の裏面に接着剤を塗布しておかなくとも、ユニット支持脚にパネルを載置した後に支持支柱(20)の上部から接着剤(A)を注入するだけで、支持支柱(20)の中空部(22)を通った接着剤(A)が支持支柱(20)と接床基台(1)との間、及び接床基台(1)と基礎床との間に流入し、これらを接着することができる。
【００２１】
請求項５の二重床の施工方法は、基礎床上に請求項１，請求項２，又は請求項３のユニット支持脚を配置し、ユニット支持脚の支持板(42)に床パネルを載置した後、支持支柱(20)の上部から接着剤(A)を注入すると共に接床基台(1)の主アンカー孔(7)に接着剤を注入することにより支持支柱(20)と接床基台(1)、及び接床基台(1)と基礎床とを接着することを特徴とする。
【００２２】
これによれば、上記の施工方法に加えて、主アンカー孔にも接着剤を直接注入するので、接着剤の充填がより確実なものとなり、硬化した接着剤によるアンカー効果も得やすくなる。したがって、基礎床と接床基台との接着をより強固で確実なものとすることができる。
【００２３】
【発明の実施の形態】
以下、本発明を好適な実施例を用いて説明する。
［実施例１］
図１１は本実施例のユニット支持脚の正面図である。図中において(1)は基礎床と接する接床基台であり、(20)は支持支柱、(41)はレベル調整用ナット、(42)は支持板、(43)は両面粘着シートである。
【００２４】
支持支柱(20)の上部に螺合されるレベル調整用ナット(41)、支持板(42)、両面粘着シート(43)は先述した従来のものを使用することができる。
【００２５】
接床基台(1)はゴム、合成樹脂等の比較的硬質の弾性材料からなり、基礎床面にフィットし、かつ防振の機能を果たす。
【００２６】
支持支柱(20)は軸方向に貫通する中空部を有している。支持支柱(20)は図１１のように１本のパイプの上方にネジが切られたものでもよいが、図１２のように中空の支持パイプに中空ボルトを取り付けたようなもの(30)を使用してもよい。支持支柱(20)の下端部には外周方向に突出した鍔部(21)が設けられている。
【００２７】
図１は本実施例に用いる接床基台の平面図、図２は同じく底面図、図３は接床基台のａ−ａ断面図、図４は接床基台のｂ−ｂ断面図である。また、図５は接床基台の斜視図である。
【００２８】
図中(2)は支持支柱(20)の鍔部(21)を保持するための押さえ部であり、(5)は鍔部を嵌め入れるために押さえ部(2)の内側に形成された凹部である。押さえ部(2)は同心円上に４箇所配されており、隣接する押さえ部(2)相互間には隙間が設けられている。
【００２９】
(3)は接床基台(1)の略中央部に設けられた突起部であり、同心円上に４箇所配されており、隣接する突起部(3)相互間には隙間が形成されている。また、４箇所配された突起部(3)の中央部には接床基台(1)を上下方向に貫通する中央貫通孔(4)が設けられている。
【００３０】
(6)は接床基台(1)の下面に設けられた主接着溝であり、中央貫通孔(4)と連通し、外周側に向かって放射状に延びている。(7)は主接着溝(6)と連通し接床基台(1)を上下に貫通する主アンカー孔である。
【００３１】
(8)は接床基台(1)の下面に設けられた副接着溝であり、(9)は押さえ部(2)の内側又は押さえ部(2)相互間に上下方向に貫通するように設けられた流入用貫通孔であり副接着溝(8)と連通している。よって、押さえ部(2)内にあふれた接着剤は流入用貫通孔(9)を通って副接着溝(8)に流入するようになっている。副接着溝(8)は流入用貫通孔(9)より外周方向に延びて設けられている。
【００３２】
副接着溝(8)は主接着溝(6)と異なり中央貫通孔(4)とは連通していない。これは中央まで連通する溝が多いと接床基台(1)の強度が弱くなってしまうためである。(10)は副接着溝(8)と連通し上下に貫通する副アンカー孔である。
【００３３】
図６及び図７は接床基台(1)を床基礎に接着した状態を示した一部断面図である。図６の断面部分はａ−ａ断面であり、図７の断面部分はｂ−ｂ断面である。また、支持支柱(20)は上端部にドライバーと係合するためのドライバー溝(24)が形成されている。尚、支持支柱(20)を回転させることができれば、上端部形状は図６に示すものに限定されるものではなく、例えば、支持支柱の上端部にボックスレンチ等と係合するためのナット状の六角形頭部を形成したものでもよい。
【００３４】
施工に際しては、まず支持支柱(20)の下端に接床基台(1)を取り付けておく。支持支柱(20)の下端部は周囲に突出した鍔部(21)が形成されており、この鍔部(21)を接床基台(1)の押さえ部(2)の内側に形成された凹部(5)に嵌め込んで取り付ける。この状態で支持支柱(20)は接床基台(1)に立設され、接床基台(1)に対して回動自在な状態となる。この状態で接床基台(1)の突起部(3)は支持支柱(20)の中空部(22)内に位置することになる。
【００３５】
そしてユニット支持脚に床パネルを敷設するが、接着剤によるユニット支持脚の基礎床への固定は後の工程で行うので、敷設時には接床基台(1)の下面に接着剤を予め塗布しておく必要は無い。
【００３６】
次いで、床面レベルの調整を行うが、支持支柱(20)は接床基台(1)に対して回動自在に立設されているので、支持支柱(20)をドライバー等で回転させることにより従来のように床面レベルを調整することができる。
【００３７】
床面レベルを調整した後に床パネルをユニット支持脚に釘止めするが、床面レベル調整後又は、床パネル釘止め後に、レベル調整用ナット(41)の上部の接着剤溜まりから接着剤(A)を流し込む。
【００３８】
支持支柱(20)の周囲に流入した接着剤は従来のようにレベル調整用ナットと支持支柱(20)とを接着，固定する。一方、支持支柱(20)の中空部(22)に流し込まれた接着剤(A)は支持支柱(20)の中空部(22)を通って接床基台(1)の突起部(3)に至る。
【００３９】
よって、突起部(3)と支持支柱(20)内側との間、及び接床基台(1)上面の突起部(3)の周囲と支持支柱(20)底面との間に接着剤(A)が流入して、接床基台(1)と支持支柱(20)とが強固に固定される。
【００４０】
又、接着剤(A)は突起部(3)の内側にある中央貫通孔(4)を通って接床基台(1)下面の主接着溝(6)に至る。そして、接着剤(A)は基礎床と主接着溝(6)との間に形成された空間を接床基台(1)の外周側に向かって流れて行く。
【００４１】
主接着溝(6)は主アンカー孔(7)と連通しており、接着剤(A)として発泡性の接着剤を用いると、発泡により体積が増大した接着剤は図６に示すように主アンカー孔(7)を通って接床基台(1)の上面に吹き出すように盛り上がって硬化する。上面に盛り上がって硬化した接着剤(A)の径が主アンカー孔(7)の径より大きくなるようにすると、仮に接着剤(A)と接床基台(1)下面との間の接着がはずれて接床基台(1)が基礎床から浮き上がろうとしても、接床基台(1)は主アンカー孔(7)の上面周囲で硬化した接着剤に引っ掛かり浮き上がることができないというアンカー効果が得られる。
【００４２】
また、突起部(3)相互間には隙間が設けられているため、支持支柱(20)の下端に達した接着剤(A)はこの隙間を通って接床基台(1)上面の突起部(3)より外側に溢れ出る。そして、接着剤(A)は流入用貫通孔(9)を通って接床基台(1)下面の副接着溝(8)に至り、基礎床と副接着溝(8)との間に形成された空間を接床基台(1)の外周側に向かって流れて行く。
【００４３】
副接着溝(8)は副アンカー孔(10)と連通しており、接着剤(A)は図７に示すように副アンカー孔(10)を通って接床基台(1)の上面に盛り上がる。上面に盛り上がって硬化した接着剤(A)の径が副アンカー孔(10)の径より大きくなるようにすると、上記の主アンカー孔(7)の場合と同様に浮き上がり防止のアンカー効果が得られる。
【００４４】
尚、本実施例では主アンカー孔(7)と副アンカー孔(10)の上部に上面側の径が大きくなるようなテーパーを設けている。この場合は、接着剤が接床基台(1)の上面に盛り上がらなくても、接着剤がアンカー孔(7)，(10)のテーパー部分にまで入り込めばアンカー効果が得られる。
【００４５】
このように支持支柱(20)の上端部より中空部(22)に接着剤を流し込んで硬化させると、下面の主接着溝(6)と副接着溝(8)に流れ込んだ接着剤(A)により接床基台(1)と基礎床とが広い面積で接着されると共に、アンカー効果により接床基台(1)は基礎床に強固に固定される。特に、接着剤(A)として発泡硬化する接着剤、例えば湿気硬化型の発泡ウレタン等を用いると、接床基台(1)と基礎床の間を隙間無く充填できるので好ましい。
【００４６】
接着剤の種類によっては主接着溝(6)，主アンカー孔(7)，副接着溝(8)，副アンカー孔(10)に十分充填されない場合があり、そのような場合やさらに確実な接着を行いたい場合には必要に応じて主アンカー孔(7)や副アンカー孔(10)から接着剤(A)を直接注入して充填しても良い。
【００４７】
又、本実施例では主接着溝(6)の他に副接着溝(8)を設けたが、主接着溝(6)と主アンカー孔(7)により十分な取付強度が得られるような場合には、副接着溝(8)やそれに連通する流入用貫通孔(9)，副アンカー孔(10)は必ずしも必要ではない。
【００４８】
このようにユニット支持脚に床パネルを付設し、床面レベルの調整を行った後であってもユニット支持脚と基礎床との固定ができるため、従来のような施工に先立って接床基台(1)の取付位置を厳密に測定し、接床基台(1)下面に接着剤を塗って基礎床に接着しておくという手間のかかる作業が不要になる。よって、従来よりも容易且つ短時間で二重床の施工をすることが可能となる。尚、本発明の二重床は、マンション，木造住宅等の構造に関係なく使用することができる。
【００４９】
［実施例２］
図８は本実施例に用いる接床基台の底面図であり、図９はその接床基台のａ−ａ断面図である。
【００５０】
基本的構成は実施例１と同様であるが、接床基台(51)の主接着溝(56)の形状が異なる。すなわち、本実施例では主接着溝(56)は接床基台(51)の外周側に行くほど幅が広くなると共に深さが浅くなっている。
【００５１】
したがって、総接着面積が大きくなり、特に接着強度に寄与する外周側ほど接着面積が大きくなるので、更に強固な接着を行うことができる。しかも主接着溝(56)は接床基台(51)の外周側に行くほど深さが浅くなっているので、外周部の強度が大きく低下することはなく、十分な強度を維持することができる。
【００５２】
尚、本実施例では主接着溝(56)を外周側に行くほどが幅が広くなると共に深さが浅くなる形状としたが、主接着溝(56)の代わりに副接着溝を同様の形状としてもよい。
【００５３】
［実施例３］
図１０は本実施例に用いる接床基台(61)の断面図である。本実施例も基本的構成は実施例１と同様であるが、接床基台(61)の主接着溝(66)の表面に凹凸(66a)が設けられている。これにより接着面積が増大すると共に接着剤の食いつきが良くなるため実施例１よりも強固な接着を行うことができる。その他の構成は実施例１と同様である。
【００５４】
尚、押さえ部、突起部、接着溝、アンカー孔等の数，大きさ，形状等は必要に応じて適宜変更するとよく、上記各実施例に示したものに限定されるものではない。
【００５５】
［剥離強度試験］
支持脚と床面との接着強度を調べるために以下に示すような試験を行った。接床基台の異なる３種のユニット支持脚をコンクリートブロックに実際の施工と同様に支持支柱の中空部に湿気硬化型発泡ウレタン接着剤を流し込み接着し、特殊合板日本農林規格の平面引っ張り試験に準じて試験した。試験に用いたユニット支持脚の接床基台は次の３種である。
（ア）  裏面に接着溝やアンカー孔を有さない接床基台
（イ）  突起部を有していない以外は実施例１と同じ接床基台
（ウ）  実施例１の接床基台
試験結果を表１に示す。
【００５６】
【表１】
0003789616.tif 000002
【００５７】
（イ）は（ア）と比較すると、剥離強度は約１．８倍に向上している。この場合、接床基台とコンクリートブロック（床面）との接着強度は裏面の接着溝やアンカー孔によって向上しているが、最終的には接床基台がコンクリートブロックから剥離する前に支持支柱が接床基台の押さえ部から離れたため、この部分の抜け止めを更に強化する必要がある。
【００５８】
（ウ）は（ア）と比較すると、剥離強度は約２．５倍に向上している。この場合支持支柱は接床基台に強固に接着されており、最終的にはコンクリートブロック表面の剥離強度を示しており、大幅な剥離強度の向上が実現できた。
【００５９】
【発明の効果】
以上述べたように本発明により、基礎床への取付位置の調整が容易で、しかも基礎床に強固に固定できるユニット支持脚と、それを用いた二重床の施工方法を提供することができた。
【図面の簡単な説明】
【図１】実施例１に用いる接床基台の平面図。
【図２】実施例１に用いる接床基台の底面図。
【図３】実施例１に用いる接床基台のａ−ａ断面図。
【図４】実施例１に用いる接床基台のｂ−ｂ断面図。
【図５】実施例１に用いる接床基台の斜視図。
【図６】接床基台を床基礎に接着した状態を示した一部断面図。
【図７】接床基台を床基礎に接着した状態を示した一部断面図。
【図８】実施例２に用いる接床基台の底面図。
【図９】実施例２に用いる接床基台のａ−ａ断面図。
【図１０】実施例３に用いる接床基台の断面図。
【図１１】ユニット支持脚の正面図。
【図１２】他の支持支柱を備えたユニット支持脚の正面図。
【図１３】従来のユニット支持脚の部分断面図。
【図１４】従来のユニット支持脚を用いて二重床の床パネルを施工した状態を示す破断斜視図。
【符号の説明】
(1)    接床基台
(2)    押さえ部
(3)    突起部
(4)    中央貫通孔
(5)    凹部
(6)    主接着溝
(7)    主アンカー孔
(8)    副接着溝
(9)    流入用貫通孔
(10)    副アンカー孔
(20)    支持支柱
(21)    支持支柱の鍔部
(22)    支持支柱の中空部
(23)    支持支柱のネジ部
(24)    支持支柱のドライバー溝
(A)    接着剤
【図１】
0003789616.tif 000003
【図２】
0003789616.tif 000004
【図３】
0003789616.tif 000005
【図４】
0003789616.tif 000006
【図５】
0003789616.tif 000007
【図６】
0003789616.tif 000008
【図７】
0003789616.tif 000009
【図８】
0003789616.tif 000010
【図９】
0003789616.tif 000011
【図１０】
0003789616.tif 000012
【図１１】
0003789616.tif 000013
【図１２】
0003789616.tif 000014
【図１３】
0003789616.tif 000015
【図１４】
0003789616.tif 000016